(57)【要約】      （修正有）【課題】打撃時の抵抗を少なくでき、ボールを載せたまま地中に容易に押し込めるゴルフティーを提供する。【解決手段】ティー本体２と、複数の支柱部３を備えたボール支持部４と、１対の設置補助部５を備え、ティー本体は、先端部が尖った脚部とボール支持部を戴く頂部とが一体に形成されるとともに、中心軸に直交する貫通孔が形成され、設置補助部は、嵌合孔が形成された回転基部１４と、押え保持部１５とが一体に形成されるとともに、貫通孔を貫通する回転軸部の両端部が嵌合孔で固着されることによって１対の設置補助部が回転軸部を中心に回転可能な状態でティー本体に取り付けられ、地中への押し込み時には押え保持部の上端部が最上部になるように設置補助部を直立させ、押え保持部の上端部でボールと点または線接触させ、打撃時には設置補助部を回転させてボールの軌道外に移動させ、かつ、支柱部にボールを載せる。【選択図】図１
2012095684.tif 000002
【特許請求の範囲】
【請求項１】
ティー本体と、複数の支柱部を備えたボール支持部と、１対の設置補助部を備えるゴルフティーであって、
前記ティー本体は、先端部が尖った脚部と前記ボール支持部を戴く頂部とが一体に形成されるとともに、中心軸に直交する貫通孔が形成され、
前記設置補助部は、嵌合孔が形成された回転基部と、押え保持部とが一体に形成されるとともに、前記貫通孔を貫通する回転軸部の両側端部が前記嵌合孔で固着されることによって１対の前記設置補助部が前記回転軸部を中心に回転可能な状態で前記ティー本体に取り付けられ、
地中への押し込み時には前記押え保持部の上端部が最上部になるように前記設置補助部を起立させ、地中に押し込むための力が伝わるように前記押え保持部の上端部でゴルフボールと点または線で接触し、打撃時には前記回転軸部を中心にして前記設置補助部を回転させることにより、ゴルフボールの軌道外に移動させ、かつ、前記支柱部にゴルフボールを載せることを特徴とするゴルフティー。
【請求項２】
ティー本体と、複数の支柱部を備えたボール支持部と、１対の設置補助部を備えるゴルフティーであって、
前記ティー本体は、先端部が尖った脚部と前記ボール支持部を戴く頂部とが一体に形成されるとともに、中心軸に直交する貫通孔が形成され、
前記対をなす各設置補助部は、回転基部と、押え保持部とが一体に形成されるとともに、一方の設置補助部の回転基部の裏面側に爪部を有する第１突起部が突設され、他方の設置補助部の回転基部の裏面側に爪嵌合部が設けられた第２突起部が突設され、前記貫通孔を貫通する第２突起部に設けられた爪嵌合部に第１突起部が嵌合されることによって１対の前記設置補助部が前記第２突起部を中心に回転可能な状態で前記ティー本体に取り付けられ、
地中への押し込み時には前記押え保持部の上端部が最上部になるように前記設置補助部を起立させ、地中に押し込むための力が伝わるように前記押え保持部の上端部でゴルフボールと点または線で接触し、打撃時には前記第２突起部を中心にして前記設置補助部を回転させることにより、ゴルフボールの軌道外に移動させ、かつ、前記支柱部にゴルフボールを載せることを特徴とするゴルフティー。
【請求項３】
地中への押し込み操作中に、前記設置補助部が回転することを抑止するストッパーが前記ティー本体の側面に形成されていることを特徴とする請求項１または２のいずれかに記載のゴルフティー。
【請求項４】
前記貫通孔の内周形状と回転軸部の断面のそれぞれを、前記貫通孔内での前記回転軸部の回転を阻害する形状にしたことを特徴とする請求項１に記載のゴルフティー。
【請求項５】
前記貫通孔の内周形状と第２突起部の外周形状のそれぞれを、前記貫通孔内での前記第２突起部の回転を阻害する形状にしたことを特徴とする請求項２に記載のゴルフティー。
【請求項６】
前記ボール支持部には支柱補強部が形成され、隣接する支柱部同士は前記支柱補強部によって連結されていることを特徴とする請求項１〜５のいずれか１に記載のゴルフティー。
【発明の詳細な説明】
【技術分野】
【０００１】
打撃時の抵抗を極力少なくできると同時に、ゴルフボールを載せた状態で地中に容易に押し込むこともできるゴルフティーに関する。
【背景技術】
【０００２】
ゴルフプレイにおいて、ドライバーにて第１打をショットする際、ゴルフティーにボールを載せてショットするが、従来のゴルフティーは、先端部が尖った脚部とボールを載せる頂部とが一体となったものが多く使用されていた。しかし、この種のゴルフティーでは、ボールがヒットされる際にティーとボールとの接置面で抵抗が生じ、飛距離が伸びないという問題があった。
そのため、近年、ボールとゴルフティーとの接置面の抵抗を軽減するために、図１７に示すゴルフティー１００のような、頂部の上面に先端面の径が１〜２ｍｍ程度の細さのヒゴ状の支柱１０１を１０本位形成して、この支柱の上にボールを載せた状態でヒットできるゴルフティーが開発され市販されるようになった。ボールを支える支柱の先端部の面積は非常に小さく、ボールとゴルフティーとの接触は従来の面から点も同然となり、ボールとゴルフティーとの接置面で生ずる抵抗が大幅に低減された。特許文献１に開示されているゴルフティーは、このタイプに属する。
一方、図１８のゴルフティー２００のような、頂部の上面に植毛部２０１を設けて植毛部でゴルフボールを支持するゴルフティーも出回り始めている。特許文献２に開示されているゴルフティーは、このタイプに属する。
このようにゴルフボールを面で支えるのではなく、点で支えることにより抵抗を軽減し飛距離を伸ばすことができる種々のゴルフティーが考案され、特許文献１及び２を含め多数の特許出願、実用新案登録出願がなされている。
【先行技術文献】
【特許文献】
【０００３】
【特許文献１】実用新案登録第３１０５４６８号公報
【特許文献２】特開２００６−３４０９０５号公報
【発明の概要】
【発明が解決しようとする課題】
【０００４】
しかし、図１７のような支柱でボールを支えるゴルフティーは次のような不都合があった。
すなわち、ゴルフティーを地中に押し込む際にボールを支柱の上に載せた状態で動作をする人が多く、ゴルフティーを押し込むための力がボールを介して支柱にかかると、支柱が復元不可能なまでに変形するおそれがあるという問題である。これを防ぐためには、支柱にある程度の強度を付加しなくてはならない。これでは、１０本程度の少ない本数とはいえ、ショットの際の抵抗の軽減には限界があった。
【０００５】
一方、図１８のような植毛部を有するゴルフティーは、ボールと接触するのは毛束の先端であるため、ティーとボールとの間の抵抗を低減してゴルフボールの飛距離を伸ばすことができるという利点はある。しかしながら、ボールを毛束の上に載せた状態でティーを地中に押し込もうとすると、ボールが毛束の中へ埋没してしまうという欠点があった。
【０００６】
そのため、本願発明は、これらの問題点に鑑み、図１７のような支柱を備えたタイプのゴルフティーであるが、ショットの際のゴルフボールおよびゴルフクラブが受ける抵抗を極力低減しつつ、地中に押し込む際に支障がないゴルフティーを提供することを目的とする。
【課題を解決するための手段】
【０００７】
前記目的を達成するため、本発明のゴルフティーは、
ティー本体と、複数の支柱部を備えたボール支持部と、１対の設置補助部を備え、
前記ティー本体は、先端部が尖った脚部と前記ボール支持部を戴く頂部とが一体に形成されるとともに、中心軸に直交する貫通孔が形成され、
前記設置補助部は、嵌合孔が形成された回転基部と、押え保持部とが一体に形成されるとともに、前記貫通孔を貫通する回転軸部の両側端部が前記嵌合孔で固着されることによって１対の前記設置補助部が前記回転軸部を中心に回転可能な状態で前記ティー本体に取り付けられ、
地中への押し込み時には前記押え保持部の上端部が最上部になるように前記設置補助部を起立させ、地中に押し込むための力が伝わるように前記押え保持部の上端部でゴルフボールと点または線で接触し、打撃時には前記回転軸部を中心にして前記設置補助部を回転させることにより、ゴルフボールの軌道外に移動させ、かつ、前記支柱部にゴルフボールを載せることを特徴とする。
このように設置補助部を設けたことにより、支柱部を変形させることなく、ゴルフボールを載せた状態で地中にゴルフティーを押し込むことができる。一方、打撃時には、設置補助部の無い通常の支柱タイプのゴルフティーと同様に、ボールを支柱部の先端部に載せるので、接触抵抗が低減し飛距離を伸ばすことができる。
【０００８】
前記対をなす各設置補助部は、回転基部と、押え保持部とが一体に形成されるとともに、一方の設置補助部の回転基部の裏面側に爪部を有する第１突起部が突設され、他方の設置補助部の回転基部の裏面側に爪嵌合部が設けられた第２突起部が突設され、前記貫通孔を貫通する第２突起部に設けられた爪嵌合部に第１突起部が嵌合されることによって１対の前記設置補助部が前記第２突起部を中心に回転可能な状態で前記ティー本体に取り付けられるようにしてもよい。
これにより、設置補助部同士を一体にする回転軸部が不要となり、部品点数が減ることでコストも製造の手間も軽減できる。
【０００９】
また、前記目的を達成するため、本発明のゴルフティーは、地中への押し込み操作中に、前記設置補助部が回転することを抑止するストッパーが前記ティー本体の側面に形成されていてもよい。あるいは、前記貫通孔の内周形状と前記回転軸部の断面（あるいは第２突起部の外周形状）のそれぞれを、前記貫通孔内での前記回転軸部（あるいは第２突起部）の回転を阻害する形状にしてもよい。
これにより、地中にゴルフティーを押し込む操作の間に設置補助部が不用意に回転し、上方からの力が直下に伝わらずティー本体を地中に押し込むことが難しくなったり、載置したゴルフボールが転がり落ちたりすることを阻止できる。
【００１０】
さらに、前記目的を達成するため、本発明のゴルフティーは、前記ボール支持部には支柱補強部が形成され、隣接する支柱部同士は前記支柱補強部によって連結されていてもよい。
これにより、１本の支柱部が倒れたためにゴルフボールが転がり落ちたり、複数の支柱部の全部が外側に広がったためにゴルフボールが沈み込んだりといった不都合が打撃時に発生することを阻止できる。
【発明の効果】
【００１１】
本願発明の支柱部でゴルフボールを支えるタイプのゴルフティーを用いると、ゴルフティーとボールとは面ではなく点で接触しているため摩擦による抵抗が少ない。しかも、支柱部はティーアップ時にゴルフボールを支えることだけを考慮して、本数・太さ・強度を決定すればよい。したがって、図１７に示すような既存のゴルフティーに比べて打撃時のゴルフボールおよびゴルフクラブにかかる抵抗が少なく飛距離を伸ばすことが可能である。一方、ゴルフボールを載せたままゴルフティーを地中に押し込むとき、この押し込むための力の多くは支柱部の代りに設置補助部にかかるので、ゴルフボールを介して支柱部を変形させることなく操作できる。
【図面の簡単な説明】
【００１２】
【図１】本発明にかかる一実施の形態のゴルフティーの斜視図である。
【図２】本発明にかかる一実施の形態のゴルフティーを構成する各部材の斜視図である。
【図３】本発明にかかる一実施の形態のゴルフティーの側面図である。
【図４】本発明にかかる小突起タイプのストッパーの望ましい高さを説明する図である。
【図５】本発明にかかる一実施の形態のゴルフティーの平面図である。
【図６】本発明にかかる一実施の形態のゴルフティーにゴルフボールを載せた状態で、力を加えて地中に押し込む様子を説明する図である。
【図７】本発明にかかる一実施の形態のゴルフティーの設置補助部をゴルフボールの軌道外に回転により移動させた状態の正面図である。
【図８】本発明にかかる一実施の形態のゴルフティーにティーアップしたゴルフボールをショットした前後の様子を説明する図である。
【図９】本発明にかかるストッパーの他の実施例を説明する図である。
【図１０】本発明にかかるストッパーの他の実施例を説明する図である。
【図１１】本発明にかかる設置補助部の他の実施例を説明する断面図である。
【図１２】図１１の設置補助部を備えたゴルフティーの側面図である。
【図１３】本発明にかかる設置補助部の他の実施例を説明する斜視図である。
【図１４】図１３の設置補助部を備えたゴルフティーの正面図である。
【図１５】本発明とコンセプトを共通にするゴルフティーの正面図である。
【図１６】本発明とコンセプトを共通にするゴルフティーの正面図である。
【図１７】従来の少ない本数の支柱でボールを支えるタイプのゴルフティーを例示する図である。
【図１８】従来のブラシ型のゴルフティーを例示する図である。
【発明を実施するための最良の形態】
【００１３】
本実施形態のゴルフティー１について、図面を参照しながら説明する。
なお、以下の説明において、「上方」あるいは「上面」といった表現をするときの「上」とは、ゴルフティーの機能上の上方をいう。ゴルフティーは、地面あるいは芝に一方の先端部を突き刺し、他方の先端部にゴルフボールを載せて用いるが、以下の説明では、ゴルフボールを載せる側を「上」、地中に押し込む側を「下」と表現する。
【００１４】
まず、図１の斜視図、図２の各構成要素の斜視図、図３の側面図、図５の平面図に従い、ゴルフティー１の構成を説明する。
本発明のゴルフティー１は、ティー本体２と、ティーショット時にゴルフボールを支持する複数の支柱部３を備えたボール支持部４と、ゴルフティー１を地中に押し込む際にゴルフボールを載置し、あるいは手指がかけられることで地面へのゴルフティー１の設置を助ける１対の設置補助部５と、この対をなす設置補助部５を回転可能にするための回転軸部６とから構成される。
【００１５】
ティー本体２は、上方の頂部７と下方の脚部８とが一体に形成されている。ティー本体２は、頂部７から脚部８へ次第に細くなり、脚部８の先端部は地中に押し込みやすいように尖っている。
ティー本体２の頂部７の頂面７ａには環状凹部７ｂが形成されている。
また、ティー本体２には、ほぼ逆円錐形の頂部７の下方であって脚部８に向かって径が細くなるあたりに、回転軸部６を貫通させるための貫通孔９が形成されている。
さらに、ティー本体２の側面かつ貫通孔９の近傍に２個のストッパー１０が設けられている。このストッパー１０は、設置補助部５が不用意に回転しないように抑止するものである。
【００１６】
ボール支持部４は、環状の基部１１と、基部１１の上端部分から上方へ延びるように形成されている複数の支柱部３と、隣接した支柱部３の間に設けられた支柱補強部１２とからなる。
ボール支持部４は頂部７に形成された環状凹部７ｂに基部１１が嵌め込まれてティー本体２と一体化する。ティーショットなどのとき、ティー本体２からボール支持部４が簡単に抜けることがないように、基部１１を嵌め込むときに接着剤などを適宜用いるものとする。
【００１７】
支柱部３は、環状の基部１１の上端部分に周方向等間隔で設けられている。この実施形態を説明する各図では、４５度間隔で８本が示されている。各支柱部３はティー本体２の軸に対して、やや外側に傾ける。
また、各支柱部３の高さは同一であり、ティーアップ時にゴルフボールは、複数の支柱部３の先端部で支える。つまり、ゴルフボールは点接触の状態でゴルフティー１に支持される。
支柱部３の合計本数は、ゴルフボールの重量や支柱部３の素材の強度などを考慮し、ゴルフボールを支持できるだけの必要最少限の本数とすればよい。なお、ゴルフボールを載せたままゴルフティー１を地中に押し込むとき、この押し込むための力の多くは支柱部３の代りに設置補助部５にかかる。そのため、図１７に示す従来のゴルフティーでは、押し込む力を考慮したうえで支柱に強度を付加する必要があったが、本発明ではその必要はない。
【００１８】
支柱補強部１２は、隣接する支柱部３同士を根元部分で連結するものである。図１では、基部１１の上端から延伸する樹脂を薄膜状にした支柱補強部１２が示されているが、これに限定されず、支柱部３同士を梁状の支柱補強部で連結させてもよい。あるいはネット状の支柱補強部としてもよい。いずれの態様の支柱補強部もボール支持部４に設ける位置は、ティーショット時に生ずる抵抗を考慮して決めるべきであり、支柱部３の上端部分に近い箇所は適当でない。
【００１９】
設置補助部５は、嵌合孔１３が形成された回転基部１４とゴルフティー１を地中に押し込むときにゴルフボールを載せたり、指で保持したりする押え保持部１５とが一体となった構造をもつ。
対をなす設置補助部５は、ティー本体２に設けた貫通孔９に挿入した回転軸部６の両側端部をそれぞれの嵌合孔１３に固着することでゴルフティー本体２に取り付けられる。
一対の設置補助部５は回転軸部６を基点として一体となって回転する。
設置補助部５の形状は特に限定しないが、図３および図５に示すように一対でティー本体２の頂部７の逆円錐部分から支柱部３の上端部分までを、両側面それぞれ毎に覆う形状とする。
【００２０】
ティー本体２の材質は、脚部８が地中に押し込まれることから、強度のある木、各種の合成樹脂等が適当である。
支柱部３は、ゴルフボールを載せたときに折れたりせず、ゴルフボールの重みで変形しても元の状態にただちに復元でき、かつ、クラブが当たっても抵抗の少ない素材の使用が好ましい。この支柱部３も含むボール支持部４の素材は強度と柔軟性に富み、摩擦抵抗の少ない樹脂が適当であり、射出成形などによりボール支持部４の各部は一体で形成される。
ティー本体２と設置補助部５および回転軸部６は、樹脂に限らず金属をプレス加工して製作してもよい。
【００２１】
このゴルフティー１の使用について、ゴルフティーを地中に押し込む操作と、ゴルフボールをティーアップする操作に分けて説明する。
【００２２】
まず、ゴルフティー１を地中に押し込むときの使用法について、図６を参照しながら説明する。
設置補助部５を押え保持部１５の上端部が最上部になるように起立させる。この状態でゴルフボール１６を押え保持部１５の上端に載せる。ゴルフボール１６を手のひらで包むようにしつつ、押え保持部１５の側面外側に指をかけ、下向きの力Ｐをゴルフボール１６にかける。このようにして、ゴルフティー１は、容易に地面１７に押し込まれる。
もし、設置補助部５がなければ、あるいは、高さが支柱部３よりも低ければ、上から押されたゴルフボールは支柱部３を変形させてゴルフティー１を地中に押し込むことになり、その結果、支柱部３がティーアップ時にゴルフボール１６を正常に支えることが困難になる。
設置補助部５の押え保持部１５は平板状でも緩やかに湾曲した板状でもよいが、１対の押え保持部１５の上端面はそれぞれゴルフボール１６の下側の面と点接触あるいは線接触することが必要である。なぜなら、下向きの力Ｐはゴルフボール１６及び押え保持部１５を介してティー本体２に伝わるからである。
【００２３】
設置補助部５は、回転軸部６を基点に回転可能である。しかし、地中にゴルフティー１を押し込む操作の間に設置補助部５が回転するようなことがあっては、上方からの力Ｐが直下に伝わらずティー本体２を地中に押し込むことが難しくなったり、載置したゴルフボール１６が転がり落ちたりして使い勝手が悪い。本発明は、この問題を解消するために何らかの回転抑止の機能をゴルフティー１に付加することにした。
この実施の形態では、ストッパー１０にこの機能を持たせている。
ストッパー１０は、ティー本体２に取り付けられた小さな突起である。この突起の形状は図３に示すような半球型が望ましいがこれに限るものでない。図４から明らかなように、ティー本体２からストッパー１０の先端までの高さ（ｈ１）と、設置補助部５からティー本体２までの遊びを含んだ距離（ｈ２）との関係が、ｈ１＞ｈ２となるようにする。
図６に示すように設置補助部５を起立させたとき、ストッパー１０は設置補助部５の長手方向の両側に設けられているので、上方からの力Ｐが加えられても回転は抑止できる。そのため、ゴルフティー１を円滑に地中に押し込むことができる。
【００２４】
次に、ティーアップのときの使用法について、図７を参照しながら説明する。
所望の深さまで地中に押し込んだならば、いったんゴルフボール１６を取り除き、設置補助部５がティーショット時に障害とならないような位置にくるまで、回転軸部６を基点に回転させる。図面の左側から右側に向かって打つのであれば、図７のように水平に近い位置でも十分である。
ところで、ストッパー１０によって不用意な回転が抑止されていた。しかし、設置補助部５の素材として樹脂が用いられているならば、樹脂は柔軟性があるので、時計回りあるいは反時計回りの力を設置補助部５に加えることにより、設置補助部５はストッパー１０を乗り越えて回転可能である。なお、上記のｈ１の値は、設置補助部５を回転させる必要があることも考慮して設定するものとする。
【００２５】
図７に示すように、支柱部３を覆う設置補助部５を回転させることにより、ゴルフボールの軌道外に移動させた状態で支柱部３の上端部にゴルフボール１６を載せる。この状態でティーショットすると、支柱部３は細く柔軟なので、打撃時にゴルフボール及びゴルフクラブが受ける抵抗はきわめて少ないものとなる。この点を、図８を参照しながら、詳しく説明する。
図８中、支柱部およびゴルフボールを表わす符号３および１６の後に続く（Ｓ１）はショット直前の状態、（Ｓ２）はショットの瞬間の状態、（Ｓ３）はショット直後の状態を表わす。
ショット直前に支柱部３（Ｓ１）の先端部で支持されていたゴルフボール１６（Ｓ１）は、ゴルフクラブ１８でショットされた直後はゴルフボール１６（Ｓ２）のように変形する。ゴルフボール１６（Ｓ２）は形状を変形前と同じゴルフボール１６（Ｓ３）に戻しながら、矢印Ｙ１の方向へ移動する。ゴルフボール１６が矢印Ｙ１の方向へ移動する際、支柱部３（Ｓ３）は進行方向へなびき、ゴルフボール１６が打ち出された後、元の支柱部３（Ｓ１）の形状へ戻る間もなく、ゴルフクラブ１８が支柱部３（Ｓ３）の先端を払うように矢印Ｙ２の方向へ移動する。
このように、ゴルフボール１６はほとんど抵抗なくゴルフティー１を離れ、ゴルフクラブ１８もほとんど抵抗なくゴルフティー１の上部の支柱部３先端を滑るように進む。
これは、支柱に強度を持たせたゴルフティーには見られない特徴である。
【００２６】
支柱部３の本数は、太さとの関係で決定すればよい。本数が少なすぎれば、ティーアップ時のゴルフボールを支えるために太くしなければならないが、これでは抵抗が大となるリスクが増大する。一方、本数が多くても細ければ抵抗は抑えられるが、その反面製造コストが増大する。本発明のゴルフティーがその目的を達するためには細めの支柱部を６，８本程度備えることが適切である。
【００２７】
支柱部３は細く、しかも隣接する支柱部３とは４５度の間隔で離れている（８本の場合）。そのため、ゴルフボールを載せるとき、ボールの重心がゴルフティー１の中心軸上から大きく外れた場合、１本の支柱部３が倒れ、ボールが転がり落ちるおそれもある。また、８本の支柱部３が全体的に広がり、ボールが沈み込み打撃時の抵抗が増加するおそれがある。これらの問題を解消するために、本発明では支柱補強部１２によって支柱部３同士を連結させることとした。
【００２８】
上記の実施の形態は、例示にすぎず、種々の変形例が考えられる。
以下、変形例のいくつかを説明する。
【００２９】
上記の実施形態では、ストッパーとしてティー本体２の側面に小突起１０を形成していた。
しかし、図９のように、貫通孔９の内周形状と回転軸部６の断面のそれぞれを、貫通孔９内を回転軸部６の回転を阻害する形状にすることによりストッパーの機能を実現してもよい。
貫通孔９はゴルフティー１の中心軸と直交しており、ゴルフティーを地中に押し込むために上からの力が伝わっても、貫通孔９内を回転軸部６が回転することはない。図９の下段に示す例では、回転軸部６が時計回りに回転し、頂点Ｑａが頂点Ｑｂの位置に移動しようとしても、貫通孔９の内側が点Ｑｘの周辺の部分にて凸になっており、点Ｑａが点Ｑｂへ回転移動する障害となっている。そのため、上からの力Ｐ１が加わっても回転軸部６は回転しない。しかし、ティー本体２や回転軸部６が柔軟性のある素材で形成されていれば、時計回りに一定以上の力Ｐ２を加えると、頂点Ｑａは貫通孔９の内周の点Ｑｘ周辺の部分を乗り越えることができ、回転軸部６は回転する。
【００３０】
上記の実施形態では、ストッパーは半球状の小さな突起１０であるが、図１０に示すような面状の突起１９でもかまわない。なお、図１０の右下に示すのは、突起１９の側面形状を例示するための部分断面図である。
このようにストッパーの実現方法は複数考えられるが、要は、地中にゴルフティーを押し込むときの力が逃げないように設置補助部５の角度をストッパーによって固定することが重要なのである。
【００３１】
上記の実施形態の設置補助部５は、図２に示すように嵌合孔１３が形成された回転基部１４と押え保持部１５とが一体となった構造をもち、対をなす設置補助部５は、ティー本体２に設けた貫通孔９に挿入した回転軸部６の両側端部をそれぞれの嵌合孔１３に固着することでゴルフティー本体２に取り付けられる。つまり、上記の実施の形態では２個の設置補助部と１個の回転軸部の合計３個の部品が必要であった。しかし、図１１に示す設置補助部の変形例は部品点数を２個に減らすことにより製造コストと製造工数を節減するものである。この変形例は、設置補助部以外は上記の実施の形態と異なるところはないので、同一箇所には同一の符号を用いて説明する。
この変形例では、設置補助部２０ａと２０ｂとが対で用いられる。設置補助部２０ａは、押え保持部１５と、回転基部２１ａと、回転基部２１ａの裏面側から突設された突起部２２ａとが一体として形成される。一方、設置補助部２０ｂは、押え保持部１５と、回転基部２１ｂと、回転基部２１ｂの裏面側から突設された突起部２２ｂとが一体として形成される。突起部２２ａは表面に１以上の爪部２３を有し、突起部２２ｂには先端に開口する爪嵌合部２４が設けられ、爪部２３を爪嵌合部２４に嵌合させることができる構造となっている。
【００３２】
図１２は、設置補助部２０ａと２０ｂを用いたゴルフティー２５の側面図である。図３に示すゴルフティー１との相違は設置補助部２０だけである。貫通孔９の一方の入り口から突起部２２ｂが挿通され、反対側の入り口から突起部２２ａが挿通され、爪部２３を爪嵌合部２４に嵌合させることによって設置補助部２０ａと２０ｂとが連結した状態でティー本体２に取り付けられる。突起部２２は貫通孔９を貫通し、１対の設置補助部２０は突起部２２を中心に回転可能となる。すなわち、突起部２２は、上記の実施の形態の回転軸部６（図２、図３参照）に相当する。
なお、設置補助部２０ａが２０ｂから容易に脱落やねじれが生じないように、爪部２３の個数や形状を決めればよい。
【００３３】
上記の実施形態では、図２に示すように嵌合孔１３が形成された回転基部１４と押え保持部１５とが一体となった設置補助部５が一対で用いられていた。しかし、図１３に示す変形例では、一対の設置補助部２６の各押え保持部１５片側の上端部同士をつなぐ連結部２７が設けられている。この変形例では、各設置補助部２６と連結部２７を別々に成形してもよいが、図１４に示すように一体成形してもよい。
【００３４】
本発明は、ショットの際のゴルフボールおよびゴルフクラブが受ける抵抗を極力低減しつつ、地中に押し込む際に支障がないゴルフティーを提供することを目的とする。この目的を達成するために、回転可能な設置補助部を設けている点に本発明の大きな特徴がある。
本発明者は、回転可能な部材の組合せを変更して、この目的を達成するための次のような構造のゴルフティーも考案した。
【００３５】
本発明と目的を同じくするゴルフティー３０について、図１５、図１６を参照しながら説明する。
ゴルフティー３０は、ティー本体３１と、回転体部３２と、回転軸部３３とから構成される。
ティー本体３１は、上方の回転体支持部３４と下方の脚部３５とが一体に形成されている。脚部３５は上方から下方へ次第に細くなり、先端部は地中に押し込みやすいように尖っている。
回転体支持部３４は、脚部３５の上端部から立ち上げられた二枚の板材３４ａから成り、各板材３４ａは、全体として略コ字形に屈曲されている。各板材３４ａの下側は脚部３５の上端部へ固定され、上側には嵌合孔３６が設けられ、回転軸部３３の両側端部が嵌合孔３６で固定されると１対の回転体支持部３４はその上側で連結される。
回転体部３２は、断面が円形であり、その中間部分がくびれた、二個の円錐台を向かい合わせ固定させた形状となっている。このくびれた箇所辺りに回転軸部３３が挿通する貫通孔３７が設けられている。回転体部３２の一方の端部には、ゴルフボールの球面とほぼ同一の曲面をもつボール受皿部３８が形成されている。回転体部３２の他方の端部には、ティーアップ時にゴルフボールをその先端部で支える、複数の支柱部３９が設けられている。
支柱部３９については、上記の実施の形態において説明されている支柱部３に関する記述が当てはまる。
回転軸部３３を回転体部３２の貫通孔３７に挿通し、回転軸部３３の各端部を各回転体支持部３４ａに設けられた嵌合孔３６に固定させることにより、回転体部３２はティー本体３１に取り付けられる。回転体部３２は、回転軸部３３を基点として回転可能である。
【００３６】
以下、このゴルフティー３０の使用について説明する。
まず、ゴルフティー３０を地中に押し込むときは、図１５に示すように、回転体部３２をボール受皿部３８が最上部になるように起立させる。この状態でゴルフボール４０をボール受皿部３８に載せる。ゴルフボール４０を手のひらで包むようにしつつ、下向きの力Ｐ３をゴルフボール４０にかける。下向きの力Ｐ３はゴルフボール４０を介してティー本体３１に伝わり、ゴルフティー３０は、容易に地面に押し込まれる。
【００３７】
次に、ティーアップのときの使用法について、図１６を参照しながら説明する。
所望の深さまで地中に押し込んだならば、いったんゴルフボール４０を取り除き、回転体部３２を回転軸部３３を基点に回転させ、支柱部３９を最上部にもってくる。複数の支柱部３９の先端部と接触するようにゴルフボール４０を載せればよい。
なお、回転体部３２はティー先端部を地中に押し込んだり、ティーアップをしたりする際に回転するようでは困る。そのため、貫通孔３７の内周形状と回転軸部３３の断面のそれぞれを、貫通孔３７内での回転軸部３３の回転を阻害する形状にしたりし、回転軸部３３を基点とする不用意な回転を抑止する必要がある。
【産業上の利用可能性】
【００３８】
本願発明のゴルフティーは、打撃時の抵抗を極力少なくできると同時に、地中に押し込む動作にも差し障りがない。このようにゴルファーにとっては負担がなく、しかもその効果は大きいゴルフティーとして、多くの需要が期待できる。
【符号の説明】
【００３９】
１：ゴルフティー、２：ティー本体、３：支柱部、４：ボール支持部、５：  設置補助部、
６：回転軸部、７：頂部、７ａ：頂面、７ｂ：環状凹部、８：脚部、９：貫通孔、
１０：ストッパー、１１：基部、１２：支柱補強部、１３：嵌合孔、１４：回転基部、
１５：押え保持部、１６：ゴルフボール、１７：地面、１８：ゴルフクラブ、
１９：ストッパー、
２０（２０ａ，２０ｂ）：  設置補助部、２１（２１ａ，２１ｂ）：回転基部、
２２（２２ａ，２２ｂ）：突起部、２３：爪部、２４：爪嵌合部、２５：ゴルフティー、
２６：設置補助部、２７：連結部
【図１】
2012095684.tif 000003
【図２】
2012095684.tif 000004
【図３】
2012095684.tif 000005
【図４】
2012095684.tif 000006
【図５】
2012095684.tif 000007
【図６】
2012095684.tif 000008
【図７】
2012095684.tif 000009
【図８】
2012095684.tif 000010
【図９】
2012095684.tif 000011
【図１０】
2012095684.tif 000012
【図１１】
2012095684.tif 000013
【図１２】
2012095684.tif 000014
【図１３】
2012095684.tif 000015
【図１４】
2012095684.tif 000016
【図１５】
2012095684.tif 000017
【図１６】
2012095684.tif 000018
【図１７】
2012095684.tif 000019
【図１８】
2012095684.tif 000020